(57)【要約】      （修正有）【課題】バランスを容易に保持でき、操作の油断による運動障害を回避できる腹部鍛錬装置を提供する。【解決手段】内部に収容空間が成形され、両端を連接する延び方向をＸ方向とし、その底部には、Ｘ方向に対して互いに対称する二つの後ホイール穴２１１と、Ｘ方向に対して互いに対称する二つの前ホイール穴２１２と、が設けられるケースと、二つの後ホイール３１と、二つの後ホイールを連接するギヤ軸３２と、を有し、ケースの収容空間内に設けられ、二つの後ホイール３１は、それぞれ二つの後ホイール穴２１１からケースの外部に突出する後ホイールユニット３０と、二つの前ホイール４１と、組付け軸４２と、を有し、組付け軸４２に横軸が成形される前ホイールユニット４０と、それぞれ組付け具７１を有し、組付け具７１は両端を有し、一端がケースの二つの挿入穴２２１に挿入され、他端が握りロッド７２に枢着される二つのハンドル７０と、を含む。【選択図】図３
0003177006.tif 000002
【実用新案登録請求の範囲】
【請求項１】
内部に収容空間が成形され、互いに反対する両端を有し、前記両端を連接する延び方向をＸ方向とし、その底部には、前記Ｘ方向に対して互いに対称する二つの後ホイール穴と、前記Ｘ方向に対して互いに対称する二つの前ホイール穴と、が設けられ、二つの前記前ホイール穴の間に組付け穴が設けられ、前記Ｘ方向に対して互いに対称する両側に挿入穴がそれぞれ設けられるケースと、
二つの後ホイールと、二つの前記後ホイールを連接するギヤ軸と、を有し、前記ケースの前記収容空間内に設けられ、二つの前記後ホイールは、それぞれ二つの前記後ホイール穴から前記ケースの外部に突出する後ホイールユニットと、
二つの前ホイールと、組付け軸と、を有し、前記組付け軸に横軸が成形され、前記横軸の両端がそれぞれ二つの前記前ホイールに組み付けられ、前記横軸の中段には、前記ケースの前記組付け穴を挿通する縦軸が成形される前ホイールユニットと、
それぞれ組付け具を有し、前記組付け具は両端を有し、一端が前記ケースの二つの前記挿入穴に挿入され、他端が握りロッドに枢着される二つのハンドルと、
を含むことを特徴とする腹部鍛錬装置。
【請求項２】
前記ケースの前記収容空間の内部には、揺振機構が別に設けられ、前記揺振機構は、偏心ホイールと、動力源と、を有し、前記動力源は、電力供給ユニットと電気的に接続し、前記偏心ホイールを駆動して回転させることを特徴とする、請求項１に記載の腹部鍛錬装置。
【請求項３】
前記ケースの前記収容空間の内部には、更に、回復ギヤユニットが設けられ、前記回復ギヤユニットは、ギヤと、二つの回復具と、を有し、前記ギヤにシャフトが成形され、前記シャフトは二つの前記回復具を挿通し、前記回復具は、その中段が弾性部に成形され、その両端には、前記ギヤに挿入して係止される横支脚と、前記ケースに挿入して係止される縦支脚と、がそれぞれ成形され、前記回復ギヤユニットは二階段ギヤを有し、前記二階段ギヤには、前記後ホイールユニットの前記ギヤ軸と噛合う大径部と、前記回復ギヤユニットの前記ギヤと噛合う小径部と、が成形されることを特徴とする、請求項１に記載の腹部鍛錬装置。
【請求項４】
内部に収容空間が成形され、互いに反対する両端を有し、前記両端を連接する延び方向をＸ方向とし、その底部には、Ｘ方向に対して互いに対称する二つの後ホイール穴と、Ｘ方向に対して互いに対称する二つの前ホイール穴と、が設けられ、二つの前記前ホイール穴の間に組付け穴が設けられ、Ｘ方向に対して互いに対称する両側に挿入穴がそれぞれ設けられるケースと、
二つの後ホイールと、二つの前記後ホイールを連接するギヤ軸と、を有し、前記ケースの前記収容空間内に設けられ、二つの前記後ホイールは、それぞれ二つの前記後ホイール穴から前記ケースの外部に突出する後ホイールユニットと、
二つの前ホイールと、組付け軸と、を有し、前記組付け軸に横軸が成形され、前記横軸の両端がそれぞれ二つの前記前ホイールに組み付けられ、前記横軸の中段には、前記ケースの前記組付け穴を挿通する縦軸が成形される前ホイールユニットと、
前記ケースの前記収容空間の内部に設けられ、偏心ホイールと、動力源と、を有し、前記動力源は、電力供給ユニットと電気的に接続し、前記偏心ホイールを駆動して回転させる揺振機構と、
前記ケースの前記収容空間の内部に設けられ、ギヤと、二つの回復具と、を有し、前記ギヤにシャフトが成形され、前記シャフトは二つの前記回復具を挿通し、前記回復具は、その中段が弾性部に成形され、その両端には、前記ギヤに挿入して係止される横支脚と、前記ケースに挿入して係止される縦支脚と、がそれぞれ成形され、二階段ギヤを有し、前記二階段ギヤには、前記後ホイールユニットの前記ギヤ軸と噛合う大径部と、前記回復ギヤユニットの前記ギヤと噛合う小径部と、が成形される回復ギヤユニットと、
それぞれ組付け具を有し、前記組付け具は両端を有し、一端が前記ケースの二つの前記挿入穴に挿入され、他端が握りロッドに枢着され、前記握りロッドのうちの一つに揺振スイッチが設けられ、前記揺振スイッチは、前記揺振機構の前記動力源の電力を制御できる二つのハンドルと、
を含むことを特徴とする腹部鍛錬装置。
【請求項５】
前記ケースは、底ケースと、上ケースと、を有し、前記底ケースと前記上ケースとを合せると前記収容空間が形成され、前記底ケースには、前記後ホイール穴と、前記前ホイール穴と、前記組付け穴と、が設けられ、前記上ケースに二つの前記挿入穴が設けられることを特徴とする、請求項１又は４に記載の腹部鍛錬装置。
【請求項６】
前記ケースの前記収容空間に組付けケースが設けられ、前記組付けケースの前記Ｘ方向に沿う中段に収容窪みが成形され、前記揺振機構は外ケースを有し、前記外ケースには、前記偏心ホイールと、前記動力源と、が固定され、前記揺振機構の前記外ケースは前記収容窪みの内部に設けられることを特徴とする、請求項２又は４に記載の腹部鍛錬装置。
【請求項７】
前記ケースの前記収容空間に組付けケースが設けられ、前記組付けケースの前記後ホイールユニットの末端に近接する箇所では、Ｘ方向に対して互いに対称する二つの枢着板が成形され、前記組付けケースの二つの前記枢着板の間の底部に窪みが成形され、
前記後ホイールユニットの前記ギヤ軸は組付け軸を有し、前記組付け軸は、駆動ギヤを挿通し、その両端がそれぞれ後ホイールに組み付けられ、前記後ホイールユニットの前記ギヤ軸は前記組付けケースの前記窪みに収容され、前記駆動ギヤは、前記窪みから露呈し、前記回復ギヤユニットの前記二階段ギヤの前記大径部と噛合い、
前記前ホイールの前記縦軸は、前記底ケースの前記組付け穴を挿通して、前記組付けケースに締結されることを特徴とする、請求項１又は４に記載の腹部鍛錬装置。
【請求項８】
前記ケースの前記収容空間に組付けケースが設けられ、前記組付けケースの前記後ホイールユニットの末端に近接する箇所では、Ｘ方向に対して互いに対称する二つの枢着板が成形され、二つの前記枢着板の上部には、互いに対向する枢着穴がそれぞれ設けられ、二つの前記枢着板の対向する側面に縦挿入穴が成形され、
前記回復ギヤユニットの前記ギヤの前記シャフトの両端は、前記組付けケースの前記枢着穴に枢着され、前記ギヤの前記シャフトの一側に横挿入穴が成形され、前記横挿入穴に二つの前記回復具の前記横支脚を挿入し、前記組付けケースの前記縦挿入穴に前記縦支脚を挿入し、前記二階段ギヤは、二つの前記枢着板に枢着されるシャフトを有することを特徴とする、請求項３又は４に記載の腹部鍛錬装置。
【請求項９】
前記ケースの前記収容空間に組付けケースが設けられ、前記組付けケースには、前記ケースの前記組付け穴に応じて、互いに対向する貫通孔が二つ設けられ、
二つの前記ハンドルの間には、前記組付けケースの二つの前記貫通孔を挿通するチューブが設けられ、各前記組付け具は、前記上ケースの前記挿入穴を挿通して、前記チューブの両端に挿入されることを特徴とする、請求項１又は４に記載の腹部鍛錬装置。
【請求項１０】
前記ケースの前記収容空間は、前記前ホイールユニットの上側に錘が設けられることを特徴とする、請求項１又は４に記載の腹部鍛錬装置。
【請求項１１】
前記ハンドルの握りロッドは、半円形断面を有する二つの中空ロッドを合せて構成され、前記ハンドルの前記握りロッドにスリーブが設けられ、各前記ハンドルの前記組付け具の末端が枢着口に成形され、前記握りロッドの末端が前記組付け具の前記枢着口に収容され、枢着具は前記握りロッドと前記組付け具とを挿通することにより、前記握りロッドが前記組付け具に枢着されることを特徴とする、請求項１又は４に記載の腹部鍛錬装置。
【請求項１２】
前記ケースに制御回路ユニットが設けられ、前記制御回路ユニットは、前記ケースの表面に設けられる制御パネルを有し、前記電力供給ユニット、前記揺振機構の前記動力源及び前記ハンドルの前記揺振スイッチと電気的に接続することを特徴とする、請求項１又は４に記載の腹部鍛錬装置。
【考案の詳細な説明】
【技術分野】
【０００１】
本考案は、健康器具に関し、特に、人体の腹部の筋肉を鍛錬でき、ハンドルが人体の上肢の脂肪を揺振できる腹部鍛錬装置に関するものである。
【背景技術】
【０００２】
図１に示す従来の健康器具は、人体の腹部の筋肉を鍛錬できる腹部鍛錬ホイール１０である。腹部鍛錬ホイール１０は、ホイール本体１１と、ホイール本体１１の両側の中心から軸方向Ｙに沿って延びるハンドル１２と、を有する。ホイール本体１１は、床面に当接し、利用しているときに、ユーザの身体はへ字形を呈し、両足が床面に当接し、両手が二つのハンドル１２を握る。ユーザが腹部鍛錬ホイール１０を転がっているときには、腹部の筋肉が使用され、これにより、両足と両手の距離を変更しながら、腹部の筋肉を鍛錬できる。
【０００３】
腹部鍛錬ホイール１０によれば、腹部の筋肉を良く鍛錬できるが、腹部の筋肉の力が弱いユーザにとって、腹部鍛錬ホイール１０は、単一のホイールを有し、且つホイール本体１１の幅が狭いため、腹部鍛錬ホイール１０のバランスを保持することが困難であり、油断すると運動障害を生じる可能性があり、更に、訓練の難しさが高いため、ユーザは練習したくないことがよくある。
【０００４】
上記の欠点を解決するために、ある業者は二つのホイールを有する腹部鍛錬ホイールを開発したが、このような腹部鍛錬ホイールは、左右方向のバランスを容易に保持できない欠点だけを解決し、前後方向のバランスを容易に保持できないため、訓練の難しさが高く、ユーザは練習したくないことがある。
【考案の概要】
【考案が解決しようとする課題】
【０００５】
本考案の主な目的は、二つの後ホイールと二つの前ホイールとを有し、バランスを容易に保持でき、操作の油断による運動障害を回避できる腹部鍛錬装置を提供することにある。
【０００６】
本考案の次の目的は、二つの後ホイールの間に回復ギヤユニットが設けられ、回復ギヤユニットによる回復力により、操作が容易で省力となり、ユーザの鍛錬の意欲を増加できる腹部鍛錬装置を提供することにある。
【０００７】
本考案の別の目的は、内部に揺振機構が設けられ、ユーザが鍛錬しているときに、揺振機構による揺振力がユーザの上肢に加えられ、これにより、ユーザの上肢の筋肉を軟化でき、脂肪の分解を加速できる腹部鍛錬装置を提供することにある。
【課題を解決するための手段】
【０００８】
本考案の腹部鍛錬装置によると、内部に収容空間が成形され、互いに反対する両端を有し、両端を連接する延び方向をＸ方向とし、その底部には、Ｘ方向に対して互いに対称する二つの後ホイール穴と、Ｘ方向に対して互いに対称する二つの前ホイール穴と、が設けられ、二つの前ホイール穴の間に組付け穴が設けられ、Ｘ方向に対して互いに対称する両側に挿入穴がそれぞれ設けられるケースと、
二つの後ホイールと、二つの後ホイールを連接するギヤ軸と、を有し、ケースの収容空間内に設けられ、二つの後ホイールは、それぞれ二つの後ホイール穴からケースの外部に突出する後ホイールユニットと、
二つの前ホイールと、組付け軸と、を有し、組付け軸に横軸が成形され、横軸の両端がそれぞれ二つの前ホイールに組み付けられ、横軸の中段には、ケースの組付け穴を挿通する縦軸が成形される前ホイールユニットと、
それぞれ組付け具を有し、組付け具は両端を有し、一端がケースの二つの挿入穴に挿入され、他端が握りロッドに枢着される二つのハンドルと、
を含むことを特徴とする。
【０００９】
本考案の腹部鍛錬装置によると、ケースの収容空間の内部には、揺振機構が別に設けられ、揺振機構は、偏心ホイールと、動力源と、を有し、動力源は、電力供給ユニットと電気的に接続し、偏心ホイールを駆動して回転させることを特徴とする。
【００１０】
本考案の腹部鍛錬装置によると、ケースの収容空間の内部には、更に、回復ギヤユニットが設けられ、回復ギヤユニットは、ギヤと、二つの回復具と、を有し、ギヤにシャフトが成形され、シャフトは二つの回復具を挿通し、回復具は、その中段が弾性部に成形され、その両端には、ギヤに挿入して係止される横支脚と、ケースに挿入して係止される縦支脚と、がそれぞれ成形され、回復ギヤユニットは二階段ギヤを有し、二階段ギヤには、後ホイールユニットのギヤ軸と噛合う大径部と、回復ギヤユニットのギヤと噛合う小径部と、が成形されることを特徴とする。
【００１１】
本考案の腹部鍛錬装置によると、内部に収容空間が成形され、互いに反対する両端を有し、両端を連接する延び方向をＸ方向とし、その底部には、Ｘ方向に対して互いに対称する二つの後ホイール穴と、Ｘ方向に対して互いに対称する二つの前ホイール穴と、が設けられ、二つの前ホイール穴の間に組付け穴が設けられ、Ｘ方向に対して互いに対称する両側に挿入穴がそれぞれ設けられるケースと、
二つの後ホイールと、二つの後ホイールを連接するギヤ軸と、を有し、ケースの収容空間内に設けられ、二つの後ホイールは、それぞれ二つの後ホイール穴からケースの外部に突出する後ホイールユニットと、
二つの前ホイールと、組付け軸と、を有し、組付け軸に横軸が成形され、横軸の両端がそれぞれ二つの前ホイールに組み付けられ、横軸の中段には、ケースの組付け穴を挿通する縦軸が成形される前ホイールユニットと、
ケースの収容空間の内部に設けられ、偏心ホイールと、動力源と、を有し、動力源は、電力供給ユニットと電気的に接続し、偏心ホイールを駆動して回転させる揺振機構と、
ケースの収容空間の内部に設けられ、ギヤと、二つの回復具と、を有し、ギヤにシャフトが成形され、シャフトは二つの回復具を挿通し、回復具は、その中段が弾性部に成形され、その両端には、ギヤに挿入して係止される横支脚と、ケースに挿入して係止される縦支脚と、がそれぞれ成形され、二階段ギヤを有し、二階段ギヤには、後ホイールユニットのギヤ軸と噛合う大径部と、回復ギヤユニットのギヤと噛合う小径部と、が成形される回復ギヤユニットと、
それぞれ組付け具を有し、組付け具は両端を有し、一端がケースの二つの挿入穴に挿入され、他端が握りロッドに枢着され、握りロッドのうちの一つに揺振スイッチが設けられ、揺振スイッチは、揺振機構の動力源の電力を制御できる二つのハンドルと、
を含むことを特徴とする。
【００１２】
本考案の腹部鍛錬装置によると、ケースは、底ケースと、上ケースと、を有し、底ケースと上ケースとを合せると収容空間が形成され、底ケースには、後ホイール穴と、前ホイール穴と、組付け穴と、が設けられ、上ケースに二つの挿入穴が設けられることを特徴とする。
【００１３】
本考案の腹部鍛錬装置によると、ケースの収容空間に組付けケースが設けられ、組付けケースのＸ方向に沿う中段に収容窪みが成形され、揺振機構は外ケースを有し、外ケースには、偏心ホイールと、動力源と、が固定され、揺振機構の外ケースは収容窪みの内部に設けられることを特徴とする。
【００１４】
本考案の腹部鍛錬装置によると、ケースの収容空間に組付けケースが設けられ、組付けケースの後ホイールユニットの末端に近接する箇所では、Ｘ方向に対して互いに対称する二つの枢着板が成形され、組付けケースの二つの枢着板の間の底部に窪みが成形され、
後ホイールユニットのギヤ軸は組付け軸を有し、組付け軸は、駆動ギヤを挿通し、その両端がそれぞれ後ホイールに組み付けられ、後ホイールユニットのギヤ軸は組付けケースの窪みに収容され、駆動ギヤは、窪みから露呈し、回復ギヤユニットの二階段ギヤの大径部と噛合い、
前ホイールの縦軸は、底ケースの組付け穴を挿通して、組付けケースに締結されることを特徴とする。
【００１５】
本考案の腹部鍛錬装置によると、ケースの収容空間に組付けケースが設けられ、組付けケースの後ホイールユニットの末端に近接する箇所では、Ｘ方向に対して互いに対称する二つの枢着板が成形され、二つの枢着板の上部には、互いに対向する枢着穴がそれぞれ設けられ、二つの枢着板の対向する側面に縦挿入穴が成形され、
回復ギヤユニットのギヤのシャフトの両端は、組付けケースの枢着穴に枢着され、ギヤのシャフトの一側に横挿入穴が成形され、横挿入穴に二つの回復具の横支脚を挿入し、組付けケースの縦挿入穴に縦支脚を挿入し、二階段ギヤは、二つの枢着板に枢着されるシャフトを有することを特徴とする。
【００１６】
本考案の腹部鍛錬装置によると、ケースの収容空間に組付けケースが設けられ、組付けケースには、ケースの組付け穴に応じて、互いに対向する貫通孔が二つ設けられ、
二つのハンドルの間には、組付けケースの二つの貫通孔を挿通するチューブが設けられ、各組付け具は、上ケースの挿入穴を挿通して、チューブの両端に挿入されることを特徴とする。
【００１７】
本考案の腹部鍛錬装置によると、ケースの収容空間は、前ホイールユニットの上側に錘が設けられることを特徴とする。
【００１８】
本考案の腹部鍛錬装置によると、ハンドルの握りロッドは、半円形断面を有する二つの中空ロッドを合せて構成され、ハンドルの握りロッドにスリーブが設けられ、各ハンドルの組付け具の末端が枢着口に成形され、握りロッドの末端が組付け具の枢着口に収容され、枢着具は握りロッドと組付け具とを挿通することにより、握りロッドが組付け具に枢着されることを特徴とする。
【００１９】
本考案の腹部鍛錬装置によると、ケースに制御回路ユニットが設けられ、制御回路ユニットは、ケースの表面に設けられる制御パネルを有し、電力供給ユニット、揺振機構の動力源及びハンドルの揺振スイッチと電気的に接続することを特徴とする。
【考案の効果】
【００２０】
本考案の腹部鍛錬装置によれば、次のような効果がある。
（１）二つの後ホイールと二つの前ホイールとを有し、バランスを容易に保持でき、操作の油断による運動障害を回避できる。
【００２１】
（２）二つの後ホイールの間に回復ギヤユニットが設けられ、回復ギヤユニットによる回復力により、操作が容易で省力となり、ユーザの鍛錬の意欲を増加できる。
【００２２】
（３）内部に揺振機構が設けられ、ユーザが鍛錬しているときに、揺振機構による揺振力がユーザの上肢に加えられ、これにより、ユーザの上肢の筋肉を軟化でき、脂肪の分解を加速できる。
【図面の簡単な説明】
【００２３】
【図１】従来の腹部鍛錬装置の構成を示す斜視図である。
【図２】本考案の一実施例の構成を示す斜視図である。
【図３】本考案の一実施例の構成を分解斜視図である。
【図４Ａ】本考案の揺振機構及びハンドルを示す分解斜視図である。
【図４Ｂ】本考案の回復ギヤユニット、伝動ギヤユニット及び後ホイールユニットを示す分解斜視図である。
【図４Ｃ】本考案の前ホイールユニット及び後ホイールユニットを示す分解斜視図である。
【図５Ａ】本考案の揺振機構及びハンドルの組合済み状態を示す斜視図である。
【図５Ｂ】本考案の回復ギヤユニット、伝動ギヤユニット及び後ホイールユニットの組合済み状態を示す斜視図である。
【図５Ｃ】本考案の前ホイールユニット及び後ホイールユニットの組合済み状態を示す斜視図である。
【図６Ａ】本考案の揺振機構の組合済み状態を平面図である。
【図６Ｂ】本考案の揺振機構の組合済み状態を断面図である。
【図７】本考案の回復ギヤユニット、伝動ギヤユニット及び後ホイールユニットの噛合いを示す模式図である。
【考案を実施するための形態】
【００２４】
以下、本考案の実施の形態を図面に基づいて説明する。
【実施例】
【００２５】
まず、図２、図３、図４Ａ乃至図５Ｃを参照する。本考案の一実施例の腹部鍛錬装置は、ケース２０の内部に設けられる、後ホイールユニット３０と、前ホイールユニット４０と、揺振機構５０と、回復ギヤユニット６０と、ケース２０の外部に設けられる二つのハンドル４０と、を含む。
【００２６】
ケース２０は、図３に示すように、互いに反対する両端を有し、前記両端を連接する延び方向をＸ方向とする。本実施例では、ケース２０は、底ケース２１と、上ケース２２と、を有し、底ケース２１と上ケース２２とを合せると収容空間２３が形成される。底ケース２１の底部は、前記Ｘ方向に沿う両側に、後ホイール穴２１１と、前ホイール穴２１２と、が設けられる。二つの前ホイール穴２１２の間に組付け穴２１３が設けられる。上ケース２２の前記Ｘ方向に沿う両側に挿入穴２２１が設けられる。収容空間２３の内部には、別の部材を組付ける組付けケース２４が設けられる。収容空間２３は、前ホイールユニット４０の上側に錘２５が設けられる。錘２５により、腹部鍛錬装置の操作の安定性を増加できる。
【００２７】
図３乃至図４Ｃに示すように、組付けケース２４のＸ方向に沿う中段に収容窪み２４１が成形される。ケース２０の組付け穴２１３に応じて、互いに対向する二つの貫通孔２４２が成形される。組付けケース２４の後ホイールユニット３０に近接する末端の両側に枢着板２４３がそれぞれ成形される。二つの枢着板２４３の上部に枢着穴２４４がそれぞれ成形される。二つの枢着穴２４４は互いに対向する。二つの枢着板２４３の底部に窪み２４５が成形される。二つの枢着板２４３の互いに対向する側面に縦挿入穴２４６が設けられる。ケース２０に制御回路ユニット２６が設けられる。制御回路ユニット２６は、上ケース２２の表面に設けられる制御パネル２６１を有し、電力供給ユニット２６１と電気的に接続する。
【００２８】
後ホイールユニット３０は、図３、図４Ｂ及び図５Ｃに示すように、二つの後ホイール３１と、二つの後ホイール３１を連接するギヤ軸３２と、を有し、ケース２０の収容空間２３内に設けられる。二つの後ホイール３１は、それぞれ二つの後ホイール穴２１１からケース２０の外部に突出する。本実施例では、ギヤ軸３２は、駆動ギヤ３２２を挿通する組付け軸３２１を有し、その両端がそれぞれ後ホイール３１に組み付けられる。後ホイールユニット３０のギヤ軸３２は組付けケース２４の窪み２４５に収容される。駆動ギヤ３２２は、窪み２４５から露呈する。
【００２９】
前ホイールユニット４０は、図３及び図４Ｃに示すように、二つの前ホイール４１と、⊥字形を呈する組付け軸４２と、を有する。組付け軸４２に横軸４２１が成形される。横軸４２１の両端がそれぞれ二つの前ホイール４１に組み付けられ、横軸４２１の中段には、ケース２０の組付け穴２１３を挿通する縦軸４２２が成形される。本実施例では、前ホイールユニット４０の縦軸４２２は、底ケース２１の組付け穴２１３を挿通して、組付けケース２４に締結される。
【００３０】
揺振機構５０は、図３、図４Ａ、図５Ａ、図６Ａ及び図６Ｂに示すように、ケース２０の収容空間２３の内部に設けられ、偏心ホイール５１と、動力源５２と、を有する。動力源５２は、伝動軸を有するモータであり、制御回路ユニット２６と電気的に接続する。制御回路ユニット２６により、電力供給ユニット２６２の電力を動力源５２に供給して、ベルト５２１を介して偏心ホイール５１を回転すると、揺振力を生ずることができる。本実施例では、揺振機構５０が外ケース５３を有する。外ケース５３に偏心ホイール５１及び動力源５２を固定できる。揺振機構５０の外ケース５３は、ケース２０の組付けケース２４の収容窪み２４１に収容される。
【００３１】
回復ギヤユニット６０は、図３、図４Ｂ及び図５Ｂに示すように、ケース２０の収容空間２３の内部に設けられ、ギヤ６１と、二つの回復具６２と、を有する。ギヤ６１にシャフト６１１が成形される。シャフト６１１は二つの回復具６２を挿通する。回復具６２は、コイルばねであり、その中段が弾性部６２１に成形され、その両端には、ギヤ６１に挿入して係止される横支脚６２２と、ケース２０に挿入して係止される縦支脚６２３と、がそれぞれ成形される。回復ギヤユニット６０は二階段ギヤ６３を有する。二階段ギヤ６３には、後ホイールユニット３０のギヤ軸３２と噛合う大径部６３１と、回復ギヤユニット６０のギヤ６１と噛合う小径部６３２と、が成形される。
【００３２】
本実施例では、回復ギヤユニット６０のギヤ６１のシャフト６１１の両端は、組付けケース２４の枢着穴２４４に枢着される。ギヤ６１のシャフト６１１の一側に横挿入穴６１２が成形される。横挿入穴６１２に二つの回復具６２の横支脚６２２が挿入され、組付けケース２４の縦挿入穴２４６に縦支脚６２３が挿入される。二階段ギヤ６３は、二つの枢着板２４３に枢着されるシャフト６３３を有する。
【００３３】
二つのハンドル７０は、図３、図４Ａ及び図５Ａに示すように、それぞれ組付け具７１を有し、組付け具７１は両端を有し、一端がケース２０の二つの挿入穴２２１に挿入され、他端が握りロッド７２に枢着される。握りロッド７２のうちの一つには、制御回路ユニット２６と電気的に接続する揺振スイッチ７３が設けられる。揺振スイッチ７３は揺振機構５０の動力源５２の電力を制御できる。二つのハンドル７０の間には、組付けケース２４の二つの貫通孔２４２を挿通するチューブ７４が設けられる。各組付け具７１は、上ケース２２の挿入穴２２１を挿通して、チューブ７４の両端に挿入される。
【００３４】
本実施例では、ハンドル７０の握りロッド７２は、半円形断面を有する二つの中空ロッド７２１を合せて構成され、ハンドル７０の握りロッド７２にスリーブ７２２が嵌め設けられる。各ハンドル７０の組付け具７１の末端が枢着口７１１に成形される。握りロッド７２の末端は組付け具７１の枢着口７１１に収容される。枢着具７５は握りロッド７２と組付け具７１とを挿通することにより、握りロッド７２が組付け具７１に枢着される。
【００３５】
次に、本考案の一実施例の操作方式及び効果を説明する。まず、本考案の腹部鍛錬装置を床面に置いて、ユーザの両足を床面に押付けて、ユーザの両手が二つのハンドル７０を握る。本考案の一実施例の腹部鍛錬装置と足部との距離を変更しているときには、上肢が腹部鍛錬装置に力を加えて、腹部の筋肉により身体がへ字形に保持され、これにより、腹部の筋肉を鍛錬する目的を達成できる。本考案の腹部鍛錬装置は、図２及び図３に示すように、前ホイールユニット４０と後ホイールユニット３０とを組付けることにより、ユーザが腹部鍛錬装置を操作しているときには、ユーザと床面との接触点が四つあり、操作が安定となる。このように、バランスを容易に保持でき、操作の油断による運動障害を回避できる。
【００３６】
本考案では、ユーザの腹部の筋肉を有効に鍛錬できるようにするために、二つの後ホイール３１の間に回復ギヤユニット６０を設けることにより、二つの後ホイール３１に弾力による回復力が与えられ、図４Ｂ、図５Ｂ及び図７に示すように、回復ギヤユニット６０のギヤ６１に二つの回復具６２の横支脚６２２を挿入して固定し、ケース２０の組付けケース２４に二つの回復具６２の縦支脚６２３挿入して固定する。本考案の腹部鍛錬装置をユーザの足部から離れているときに、二つの後ホイール３１は、二階段ギヤ６３によってギヤ６１を駆動して、二つの回復具６２の横支脚６２２がそれと共に回転し、これにより、回復具６２の弾性部６２１が変形して回復力を生ずる。このように、本考案の腹部鍛錬装置がユーザの足部に近づいているときには、前記回復力により操作が容易で省力となり、鍛錬の難しさを減少でき、ユーザの鍛錬の意欲を増加できる。
【００３７】
一方、本考案の腹部鍛錬装置の操作は、上肢が力を加えることが必要であるため、図４Ａ及び図５Ａに示すように、二つのハンドル７０の間に近接する位置に揺振機構５０を設けることにより、揺振機構５０による揺振力はハンドル７０を経由してユーザの上肢に伝達される。このように、ユーザの上肢の筋肉を軟化でき、脂肪の分解を加速できる。
【産業上の利用可能性】
【００３８】
本考案は、腹部鍛錬装置に適用することができる。
【符号の説明】
【００３９】
１０：腹部鍛錬ホイール
１１：ホイール本体
１２：ハンドル
２０：ケース
２１：底ケース
２２：上ケース
２３：収容空間
２４：組付けケース
２５：錘
２６：制御回路ユニット
３０：後ホイールユニット
３１：後ホイール
３２：ギヤ軸
４０：前ホイールユニット
４１：前ホイール
４２：組付け軸
５０：揺振機構
５１：偏心ホイール
５２：動力源
５３：外ケース
６０：回復ギヤユニット
６１：ギヤ
６２：回復具
６３：二階段ギヤ
７０：ハンドル
７１：組付け具
７２：握りロッド
７３：揺振スイッチ
７４：チューブ
７５：枢着具
２１１：後ホイール穴
２１２：前ホイール穴
２１３：組付け穴
２２１：挿入穴
２４１：収容窪み
２４２：貫通孔
２４３：枢着板
２４４：枢着穴
２４５：窪み
２４６：縦挿入穴
２６１：制御パネル
２６２：電力供給ユニット
３２１：組付け軸
３２２：駆動ギヤ
４２１：横軸
４２２：縦軸
５２１：ベルト
６１１：シャフト
６１２：横挿入穴
６２１：弾性部
６２２：横支脚
６２３：縦支脚
６３１：大径部
６３２：小径部
６３３：シャフト
７１１：枢着口
７２１：中空ロッド
７２２：スリーブ
Ｙ：軸方向
【図１】
0003177006.tif 000003
【図２】
0003177006.tif 000004
【図３】
0003177006.tif 000005
【図４Ａ】
0003177006.tif 000006
【図４Ｂ】
0003177006.tif 000007
【図４Ｃ】
0003177006.tif 000008
【図５Ａ】
0003177006.tif 000009
【図５Ｂ】
0003177006.tif 000010
【図５Ｃ】
0003177006.tif 000011
【図６Ａ】
0003177006.tif 000012
【図６Ｂ】
0003177006.tif 000013
【図７】
0003177006.tif 000014